(57)【要約】 使用者の骨盤の周囲に巻き付けられ固定される帯形の下バンド部と、前記下バンド部に接合された一対の一端部を有し使用者の腰部付近を押圧するＸ形の伸縮性中間バンド部と、前記中間バンド部が有する一対の他端部に接合され使用者の胸部に巻き付けられ固定される一対の上バンド部とを備え、 前記中間バンド部の前記一対の一端部は、前記下バンド部における使用者の骨盤真横位置からその近傍前方位置の範囲に接合され、 前記一対の上バンド部は、展開状態において分離しかつ相互に反対方向に延びると共に、使用者の胸部の第５〜第１０肋骨付近に巻き付けられ固定されるよう構成された体幹サポーター。
2018101344.tif 000002
【特許請求の範囲】
【請求項１】
使用者の骨盤の周囲に巻き付けられ固定される帯形の下バンド部と、前記下バンド部に接合された一対の一端部を有し使用者の腰部付近を押圧するＸ形の伸縮性中間バンド部と、前記中間バンド部が有する一対の他端部に接合され使用者の胸部に巻き付けられ固定される一対の上バンド部とを備え、
前記中間バンド部の前記一対の一端部は、前記下バンド部における使用者の骨盤真横位置からその近傍前方位置の範囲に接合され、
前記一対の上バンド部は、展開状態において分離しかつ相互に反対方向に延びると共に、使用者の胸部の第５〜第１０肋骨付近に巻き付けられ固定されるよう構成された体幹サポーター。
【請求項２】
前記下バンド部は、その一端部に設けられた下面ファスナー部の下ループ状繊維面部および他端部に設けられて前記下ループ状繊維面部と面接触して結合可能な下面ファスナー部の下フック状繊維面部を有し、
前記一対の上バンドのうちの一方の上バンド部は、その端部に設けられた上面ファスナー部の上ループ状繊維面部を有し、
前記一対の上バンドのうちの他方の上バンド部は、その端部に設けられて前記上ループ状繊維面部と面接触して結合可能な上面ファスナー部の上フック状繊維面部を備える請求項１に記載の体幹サポーター。
【請求項３】
前記下バンド部が伸縮性を有する請求項１または２に記載の体幹サポーター。
【請求項４】
前記中間バンド部は、Ｘ形に交差する一対のゴムバンド部材と、前記一対のゴムバンド部材の交差部分に設けられて各ゴムバンド部材を挿通させる輪部を有する布製の保持部材とを備える請求項１〜３のいずれか１つに記載の体幹サポーター。
【請求項５】
前記保持部材は、前記一対のゴムバンド部材のうちの一方を挿通させる輪部を有する筒部と、前記一対のゴムバンド部材のうちの一方を挿通させる輪部を有する前記筒部の外面に設けられたバンド通し部と、前記筒部の外面または前記バンド通し部の外面に設けられたポケットとを有する請求項４に記載の体幹サポーター。
【請求項６】
ウエア本体と、ウエア本体の外面に設けられた請求項１〜５のいずれか１つに記載の体幹サポーターとを備えたウエア。
【請求項７】
ウエア本体と、ウエア本体に設けられた体幹サポーターとを備え、
前記体幹サポーターは、使用者の骨盤の周囲に巻き付けられるように配置される帯形の下バンド部と、前記下バンド部に接合された一対の一端部を有し使用者の腰部付近を押圧するＸ形の伸縮性中間バンド部と、前記中間バンド部が有する一対の他端部に接合される両端部を有し使用者の胸部に巻き付けられるように配置される上バンド部とを備え、
前記中間バンド部の前記一対の一端部は、前記下バンド部における使用者の骨盤真横位置からその近傍前方位置の範囲に接合され、
前記上バンド部は、使用者の胸部の第５〜第１０肋骨付近に配置されるよう構成されたウエア。
【発明の詳細な説明】
【技術分野】
【０００１】
本発明は、体幹サポーターおよびそれを備えたウエアに関する。
【背景技術】
【０００２】
特許文献１には、腰痛を緩和ないし予防するために用いられる腰用サポーターが提案されている。この腰用サポーターは、相互に平行なベルト下部およびベルト上部を有し、かつこれらの長手方向の中央部が連結された伸縮性のベルト体を備えると共に、ベルト下部の両端部およびベルト上部の両端部にフック状繊維面部とループ状繊維面部とからなる面ファスナーがそれぞれ設けられている。【０００３】
この腰用サポーターによれば、ベルト体の中央部を使用者の腰に当て、ベルト下部およびベルト上部の両端部を腹部側へ回して各面ファスナーのフック状繊維面部とループ状繊維面部とを重ねて面接触結合させ、ベルト体を腹部の全周に巻き付けた状態で固定することにより、効率よく腹圧を高めて、腰痛を緩和ないし予防できるとされている。
【先行技術文献】
【特許文献】
【０００４】
【特許文献１】特開２０１５−１３９６０５号公報
【発明の概要】
【発明が解決しようとする課題】
【０００５】
特許文献１のように装着者の腹部の全周に巻き付けて装着するタイプの腰用サポーターは、腹部への締め付けが緩いと効果を発揮できないため、ある程度の締め付けが必要となる。そのため、腰用サポーターによって装着者の腹部が圧迫され、胃や腸といった内臓も圧迫される。したがって、腰用サポーターを装着したまま食事をすることが困難であり、食事の際は腰用サポーターを外す必要があり、食後もある程度の時間が経過するまで腰用サポーターの着用を控える必要がある。【０００６】
さらに、腹部を圧迫する腰用サポーターを長期間着用することにより、肺下半分による呼吸が妨げられるため肺上半分の負担が大きくなって呼吸障害を生じるおそれがあること、胃、腎臓、腸等の内臓が押し下げられて内蔵下垂が生じ消化器障害や便秘等を生じるおそれがあること、下半身の血液を心臓まで運ぶ静脈が圧迫されて循環器障害を生じるおそれがあること等、人体に様々な悪影響を及ぼす可能性がある。【０００７】
また、前記のような従来の腰用サポーターは、腰部および腹部を圧迫固定することで、腰部および腹部の筋肉の動きに制限を与えて、筋力をできるだけ使わないことで痛みを抑える構造であった。この場合のデメリットとして、使用者は腹部を圧迫されることで苦しさを感じること、長時間使用すると血流を阻害すること、筋肉の動きを制限することにより筋肉そのものが衰えてしまい、サポーターを外すとより痛みが増すことなどといった弊害があった。
また、腰の痛い部位（例えば、ぎっくり腰）によっては、筋肉の収縮が起こり、体に歪みが生じてしまうことがあるが、腰部および腹部の圧迫固定では体の歪みを解消するには至らなかった。【０００８】
本発明は、このような課題に鑑みなされたものであり、腰部および腹部を圧迫固定することなく着用でき、脊柱を正常なＳ字カーブに保ちやすくなる体幹サポーターおよびそれを備えたウエアを提供することを目的とする。
【課題を解決するための手段】
【０００９】
かくして、本発明によれば、使用者の骨盤の周囲に巻き付けられ固定される帯形の下バンド部と、前記下バンド部に接合された一対の一端部を有し使用者の腰部付近を押圧するＸ形の伸縮性中間バンド部と、前記中間バンド部が有する一対の他端部に接合され使用者の胸部に巻き付けられ固定される一対の上バンド部とを備え、
前記中間バンド部の前記一対の一端部は、前記下バンド部における使用者の骨盤真横位置からその近傍前方位置の範囲に接合され、
前記一対の上バンド部は、展開状態において分離しかつ相互に反対方向に延びると共に、使用者の胸部の第５〜第１０肋骨付近に巻き付けられ固定されるよう構成された体幹サポーターが提供される。【００１０】
また、本発明の別の観点によれば、ウエア本体と、ウエア本体の外面に設けられた前記体幹サポーターとを備えたウエアが提供される。
【発明の効果】
【００１１】
本発明の体幹サポーターの装着状態において、下バンド部が使用者の骨盤周りに固定され、一対の上部バンド部が胸部に固定され、Ｘ形の中間バンド部のクロス部分によって腰部付近が前方へ押圧され、一対の上バンド部によって胸部が後方へ引き寄せられる。これにより、使用者の脊柱が正常なＳ字カーブに矯正され、腰痛の緩和ないし予防をすることができる。この際、仮に一対の上バンド部が使用者の背中側で連結していると一対の上バンド部によって胸部を後方へ引き寄せる力が低下するため、脊柱を正常なＳ字カーブに矯正しにくくなるが、本発明の体幹サポーターは一対の上バンド部が分離しているため、中間バンド部と協働して脊柱を正常なＳ字カーブに効果的に矯正することができる。【００１２】
また、本発明の体幹サポーターは、着用時の使用者の腹部を圧迫することがないため、腹部圧迫に伴う前記のような呼吸障害、消化器障害、循環器障害といった人体への様々な悪影響を生じにくく、着用したまま食事しても腹部が苦しくならず、着座姿勢での事務作業や軽度な前屈運動も楽に行える等、日常生活において安全かつ健康的に使用することができる。
なお、前記効果は、本発明の体幹サポーターを備えたウエアを着用することによっても得ることができる。
【図面の簡単な説明】
【００１３】
【図１】本発明の体幹サポーターの実施形態１を示す正面図である。
【図２】実施形態１の体幹サポーターの背面図である。
【図３】図１のＣ−Ｃ部分におけるＡ−Ａ線拡大端面図である。
【図４】図１のＣ−Ｃ部分におけるＢ−Ｂ線拡大端面図である。
【図５】実施形態１の体幹サポーターの使用状態を示す正面図である。
【図６】実施形態１の体幹サポーターの使用状態を示す背面図である。
【図７】実施形態１の体幹サポーターの着座姿勢での使用状態を示す左側面図である。
【図８】本発明の体幹サポーターの実施形態２を示す背面図である。
【図９】本発明の体幹サポーターを備えたウエアの実施形態３であって（Ａ）は正面図、（Ｂ）は背面図である。
【図１０】本発明の体幹サポーターを備えたウエアの実施形態４であって（Ａ）は正面図、（Ｂ）は背面図である。
【図１１】本発明の体幹サポーターを備えたウエアの実施形態５であって（Ａ）は正面図、（Ｂ）は背面図である。
【図１２】本発明の体幹サポーターを備えたウエアの実施形態９であって（Ａ）は正面図、（Ｂ）は背面図である。
【発明を実施するための形態】
【００１４】
本発明の体幹サポーターは、使用者の骨盤の周囲に巻き付けられ固定される帯形の下バンド部と、前記下バンド部に接合された一対の一端部を有し使用者の腰部付近を押圧するＸ形の伸縮性中間バンド部と、前記中間バンド部が有する一対の他端部に接合され使用者の胸部に巻き付けられ固定される一対の上バンド部とを備え、
前記中間バンド部の前記一対の一端部は、前記下バンド部における使用者の骨盤真横位置からその近傍前方位置の範囲に接合され、
前記一対の上バンド部は、展開状態において分離しかつ相互に反対方向に延びると共に、使用者の胸部の第５〜第１０肋骨付近に巻き付けられ固定されるよう構成されている。
【００１５】
すなわち、本発明の体幹サポーターは、Ｘ形の伸縮性中間バンド部の後述する一対のバンドが、使用者の右前胸下から左前骨盤および左前胸下から右前骨盤に亘って配置され、これにより一対のバンド部の交差部が使用者の腰椎付近に配置されるように構成されている。このように構成された本発明の体幹サポーターによれば、使用者の腰部の脊柱起立筋群をサポートすることができるため、腰部の筋肉の緊張を和らげ、体の左右の歪みを矯正することができると共に、脊柱を正常なＳ字カーブに保つことができる。
【００１６】
本発明の体幹サポーターは、次のように構成されてもよく、それらが適宜組み合わされてもよい。
（１）前記下バンド部は、その一端部に設けられた下面ファスナー部の下ループ状繊維面部および他端部に設けられて前記下ループ状繊維面部と面接触して結合可能な下面ファスナー部の下フック状繊維面部を有し、
前記一対の上バンドのうちの一方の上バンド部は、その端部に設けられた上面ファスナー部の上ループ状繊維面部を有し、
前記一対の上バンドのうちの他方の上バンド部は、その端部に設けられて前記上ループ状繊維面部と面接触して結合可能な上面ファスナー部の上フック状繊維面部を備えてもよい。
このようにすれば、体幹サポーターの着脱が容易かつ便利であると共に、使用者の体格差に対応しやすくなる。
なお、本発明において、上下面ファスナー部の代わりに、例えば、下バンド部の両端部および一対の上バンド部の端部に紐を縫い付け、紐同士を結びつけて下バンド部および一対の上バンド部を体幹に固定するようにしてもよいが、脱着の容易性および体格差への対応性の面で上下面ファスナー部が好ましい。
【００１７】
（２）前記下バンド部が伸縮性を有してもよい。
このようにすれば、体幹サポーターを着用した使用者の骨盤周りが伸縮性の下バンド部にて締め付けられるため、使用者が歩行や軽度の運動等で動いても下バンド部が骨盤周りからずれにくくなる。また、体幹サポーターを着用した使用者の腹部は圧迫されず、伸縮性の下バンド部によって使用者の下腹部がしっかりと支えられるため、従来の腰用サポーターを着用することによって生じる内臓下垂を効果的に回避することができる。
【００１８】
（３）前記中間バンド部は、Ｘ形に交差する一対のゴムバンド部材と、前記一対のゴムバンド部材の交差部分に設けられて各ゴムバンド部材を挿通させる輪部を有する布製の保持部材とを備えてもよい。
このようにすれば、一対のゴムバンド部材が保持部材によってばらけなくなるため、体幹サポーターを着用する際に一対の上バンド部を胸部側へ巻きやすくなり装着が容易となると共に、保持部材によって中間バンド部の交差部分が使用者の腰部にフィットしやすくなる。
【００１９】
（４）前記保持部材は、前記一対のゴムバンド部材のうちの一方を挿通させる輪部を有する筒部と、前記一対のゴムバンド部材のうちの一方を挿通させる輪部を有する前記筒部の外面に設けられたバンド通し部と、前記筒部の外面または前記バンド通し部の外面に設けられたポケットとを有してもよい。
このようにすれば、ポケット内に使い捨てカイロを収納し、ポケット側が使用者に密着するように体幹サポーターを装着することにより、使用者の腰部付近を発熱する使い捨てカイロによって温めることができる。これにより、使用者の腰部付近の血行を促進させ、腰痛の緩和ないし予防をより効果的に行うことができる。
【００２０】
以下、図面を参照しながら本発明の体幹サポーターの実施形態について詳説する。
【００２１】
（実施形態１）
図１は本発明の体幹サポーターの実施形態１を示す正面図であり、図２は実施形態１の体幹サポーターの背面図である。また、図３は図１のＣ−Ｃ部分におけるＡ−Ａ線拡大端面図であり、図４は図１のＣ−Ｃ部分におけるＢ−Ｂ線拡大端面図である。また、図５は実施形態１の体幹サポーターの使用状態を示す正面図であり、図６は実施形態１の体幹サポーターの使用状態を示す背面図であり、図７は実施形態１の体幹サポーターの着座姿勢での使用状態を示す左側面図である。
【００２２】
＜体幹サポーターの構造について＞
図１〜４に示すように、実施形態１の体幹サポーター１０は、帯形の伸縮性下バンド部１１と、下バンド部１１に接合された一対の一端部１２ａ1を有するＸ形の伸縮性中間バンド部１２と、中間バンド部１２が有する一対の他端部１２ａ2に接合された一対の上バンド部１３Ａ、１３Ｂとを備える。なお、中間バンド部１２の一端部１２ａ1の端縁および他端部１２ａ2の端縁は、下バンド部１１の長手方向と平行な方向に延びている。
【００２３】
下バンド部１１は、使用者Ｕの骨盤の周囲に巻き付けられ固定される部分であり、帯形伸縮性のゴムバンド部１１ａと、ゴムバンド部１１ａの長手方向両端部に縫い付けられた一対の帯形非伸縮性の布バンド部１１ｂ、１１ｃとを有する。
【００２４】
また、下バンド部１１の両端部には下面ファスナー部が設けられている。
この下面ファスナー部は、一方の布バンド部１１ｂの正面に縫い付けられた下ループ状繊維面部１４ａと、他方の布バンド部１１ｃの背面に縫い付けられた下フック状繊維面部１４ｂとを有してなる。実施形態１の場合、下ループ状繊維面部１４ａは一方の布バンド部１１ｂの長さと同じ長さに形成され、下フック状繊維面部１４ｂは他方の布バンド部１１ｃの先端部のみに設けられている。
【００２５】
中間バンド部１２は、使用者Ｕの腰部Ｕ1付近を押圧する部分であり、Ｘ形に交差する一対のゴムバンド部材１２ａと、一対のゴムバンド部材１２ａの交差部分に設けられて各ゴムバンド部材１２ａを挿通させる輪部１２ｂ11、１２ｂ21を有する布製の保持部材１２ｂとを備える。
【００２６】
保持部材１２ｂは、一方のゴムバンド部材１２ａを挿通させる前記輪部１２ｂ11を有する正面視菱形の筒部１２ｂ1と、他方のゴムバンド部材１２ａを挿通させる前記輪部１２ｂ21を形成するように筒部１２ｂ1の外面（背面）に縫い付けられた細い帯形のバンド通し部１２ｂ2とを有する。保持部材１２ｂが一対のゴムバンド部材１２ａに縫い付けられていないため、一対のゴムバンド部材１２ａは保持部材１２ｂに対して自由に動くことができる。この保持部材１２ｂは立体編みのハニカムニットにて形成してもよい。
【００２７】
一対の上バンド部１３Ａ、１３Ｂは、使用者Ｕの胸部Ｕ2に巻き付けられ固定される部分であり、非伸縮性の布にて形成されている。
一方の上バンド部１３Ａは、下バンド部１１と平行に延びる一方のゴムバンド部材１２ａの他端部１２ｂに縫い付けられた一側縁部を有し、下バンド部１１の下ループ状繊維面部１４ａ側の布バンド部１１ｂと同じ方向に延びている。
【００２８】
他方の上バンド部１３Ｂは、下バンド部１１と平行に延びる他方のゴムバンド部材１２ａの他端部１２ｂに縫い付けられた一側縁部を有し、下バンド部１１の下フック状繊維面部１４ｂ側の布バンド部１１ｃと同じ方向に延びている。
また、下バンド部１１から一対の上バンド部１３Ａ、１３Ｂまでの間隔Ｉは同じである。
【００２９】
図１および２に示すように、一対の上バンド部１３Ａ、１３Ｂは、展開状態において分離しかつ相互に反対方向に延びている。すなわち、展開状態における一対の上バンド部１３Ａ、１３Ｂの間には逆三角形のスペースＳが形成されている。
【００３０】
また、一対の上バンド部１３Ａ、１３Ｂの先端部には上面ファスナー部が設けられている。
この上面ファスナー部は、一方の上バンド部１３Ａの正面に縫い付けられた上ループ状繊維面部１５ａと、他方の上バンド部１３Ｂの背面に縫い付けられた上フック状繊維面部１５ｂとを有してなる。実施形態１の場合、上ループ状繊維面部１５ａは一方の上バンド部１３Ａの長さＬ４の略半分の長さに形成され、上フック状繊維面部１５ｂは他方の上バンド部１３Ｂの先端部のみに設けられている。
【００３１】
＜体幹サポーターの装着方法について＞
図１、２、５〜７を参照しながら、実施形態１の体幹サポーター１０の装着方法の一例について説明する。
なお、ここでは、保持部材１２ｂのバンド通し部１２ｂ2を有する背面側が使用者Ｕに密着するように体幹サポーター１０を装着する場合を説明するが、正面側が使用者Ｕに密着するように装着してもよい。
【００３２】
まず、体幹サポーター１０を使用者Ｕの後へ回し、下バンド部１１の一方の布バンド部１１ｂを左手に持ち、他方の布バンド部１１ｃを右手に持ち、ゴムバンド部１１ａを腰部Ｕ1の下部に当てながら一対の布バンド部１１ｂ、１１ｃを手前へ引っ張って腹部Ｕ3の下部（下腹）に巻き付け、下ループ状繊維面部１４ａの上に下フック状繊維面部１４ｂを重ね合わせる。これにより、下ループ状繊維面部１４ａと下フック状繊維面部１４ｂとが面接触結合し、使用者の骨盤周りに下バンド部１１が固定される。
【００３３】
次に、一方の上バンド部１３Ａを左手に持ち、他方の上バンド部１３Ｂを右手に持ち、両方の上バンド部１３Ａ、１３ｂを両脇の下に通すようにして手前へ引っ張って胸部Ｕ2に巻き付け、上ループ状繊維面部１５ａの上に上フック状繊維面部１５ｂを重ね合わせる。これにより、上ループ状繊維面部１５ａと上フック状繊維面部１５ｂとが面接触結合し、使用者の胸部Ｕ2周りに上バンド部１３Ａ、１３Ｂが固定され、体幹サポーター１０の装着が完了する。
【００３４】
このようにして装着された体幹サポーター１０によれば、中間バンド部１２の一対のゴムバンド部材１２ａが使用者Ｕの腹斜筋から脊柱起立筋群を沿って胸郭の第５〜第１０肋骨付近を通り、一対の上バンド部１３Ａ、１３Ｂが胸郭前部で面接触結合により固定される。このように、使用者Ｕの腹部Ｕ3の上下位置に上バンド部１３Ａ、１３Ｂと下バンド部１１とが配置されるため、体幹サポーター１０によって腹部Ｕ3が圧迫されない。
また、中間バンド部１２のクロス部分（保持部材１２ｂ）が使用者Ｕの腰部Ｕ1付近に配置されるため、一対のゴムバンド部材１２ａの弾性力によって保持部材１２ｂが腰部Ｕ1付近を押圧する。
【００３５】
さらに詳しく説明すると、一対のゴムバンド部材１２ａは両脇からクロス部分に向かって下降し、それらの下端部（中間バンド部１２の一対の一端部１２ａ1）は下バンド部１１ａにおける使用者Ｕの骨盤真横位置からその近傍前方位置の範囲に接合されている。また、中間バンド部１２のクロス部分の上部には逆三角形のスペースＳが形成される。
このように構成された体幹サポーター１０は、図７に示すように、クロス部分が腰部Ｕ1における腰椎を前方（矢印Ｆ方向）へ押圧し、かつ一対の上バンド部１３Ａ、１３Ｂが胸部Ｕ2を後方（矢印Ｒ方向）へ押圧することが効果的に行えるため、使用者Ｕは自然と胸を張り背筋を伸ばした正しい姿勢に維持される。つまり、使用者Ｕの腰部Ｕ1の脊柱起立筋群の筋力がサポートされて筋肉の緊張が緩和されると共に、体の左右の歪みが矯正され、かつ脊柱Ｑが正常なＳ字カーブに保たれるため、腰痛の緩和効果ないし予防効果を得ることができる。
【００３６】
特に、デスクワークあるいはタクシーやトラック等の運転手といった着座姿勢を長時間続けながら作業を行う人は、姿勢が崩れて腰に負担がかかりやい傾向にあるが、本発明の体幹サポーター１０を着用することによって、使用者Ｕは正しい着座姿勢を長時間維持することができ、腰部Ｕ1への負担軽減に繋がる。
また、重い荷物を持つ人、前屈みで作業をする人、ゴルフ、テニス、野球等の捻転を使ってボールを打つスポーツをする人などに対しても、本発明の体幹サポーター１０は使用者の腰の筋肉をサポートし、腰への負担を軽減すると共に、筋肉のパフォーマンスの向上にも役立つ。
さらに、本発明の体幹サポーター１０は、使用者の腹部Ｕ3を圧迫しないので、体幹サポーター１０を装着したまま食事することができると共に、腹部Ｕ3を圧迫することによって起こり得る呼吸障害、消化器障害、循環器障害等の心配がない。
【００３７】
なお、中間バンド部１２の一対の一端部１２ａ1（一対のゴムバンド部材１２ａの下端部）が下バンド部１１ａにおける使用者Ｕの骨盤真横位置からその近傍前方位置の範囲よりも後方位置（背中側）に接合されている場合、中間バンド部１２全体が使用者Ｕの背面を平面的に押圧することとなり、クロス部分による腰椎への押圧力が低下するため好ましくない。
【００３８】
（実施形態２）
図８は本発明の体幹サポーターの実施形態２を示す背面図である。なお、図８において、図２中の要素と同様の要素には同一の符号を付している。
実施形態２の体幹サポーター１００は、中間バンド部１１２の保持部材１１２ｂの構成が実施形態１における保持部材１２ｂの構成と異なる以外は、実施形態１の体幹サポーター１０と同様である。
以下、実施形態２における実施形態１とは異なる構成を主に説明する。
【００３９】
実施形態２の体幹サポーター１００において、中間バンド部１１２の保持部材１１２ｂは、実施形態１と同様の図示しない筒部と、この筒部の外面（背面）に設けられた太い帯形のバンド通し部１１２ｂ2と、バンド通し部１１２ｂ2の外面（背面）に設けられたポケット１１２ｂ3とを有する。
【００４０】
保持部材１１２ｂの背面側に設けられたポケット１１２ｂ3は、市販の使い捨てカイロＫを収納するポケットである。このポケット１１２ｂ3は立体編みのハニカムニットにて形成してもよい。
このように構成することにより、ポケット１１２ｂ3内に使い捨てカイロＫを収納し、ポケット１１２ｂ3側が使用者に密着するように体幹サポーター１１０を装着することにより、使用者の腰部付近を発熱する使い捨てカイロＫによって温めることができる。この結果、使用者の腰部付近の血行を促進させ、腰痛の緩和ないし予防をより効果的に行うことができる。
【００４１】
なお、保持部材１１２ｂにおいて、ポケット１１２ｂ3は筒部の正面側の外面に設けてもよく、この場合は、保持部材１１２ｂの正面側が使用者に密着するように体幹サポーターを装着すればよい。
【００４２】
（実施形態３）
図９は本発明の体幹サポーターを備えたウエアの実施形態３であって（Ａ）は正面図、（Ｂ）は背面図である。
このウエア３００は、ウエア本体３０１と、ウエア本体３０１の外面に設けられた体幹サポーター３１０とを備える。なお、実施形態３では、ウエア３００として、長袖タイプのインナーウエアを例示するが、半袖タイプのインナーウエアであってもよい。なお、ここで言う「インナーウエア」とは、インナーウエアとアウターウエアとの間に着用するウエアも含まれる。
【００４３】
ウエア本体３０１としては、例えば、伸縮性の生地からなるスポーツ用のインナーウエアを使用することができる。
体幹サポーター３１０としては、下バンド部３１１と、Ｘ形の伸縮性中間バンド部３１２と、一対の上バンド部３１３Ａ、３１３Ｂとを備え、実施形態１で説明した体幹サポーター１０と同様の構成とすることができる。なお、体幹サポーター３１０はウエア本体３０１の外面に縫い付けられるため、薄手のものが好ましい。
【００４４】
実施形態３における体幹サポーター３１０は、実施形態１の体幹サポーター１０が使用者の体の各部位に固定されるのと同様に、ウエア３００を着用した使用者の体の各部位に固定されるようウエア本体３０１に縫い付けられる。但し、下バンド部３１１におけるゴムバンド部３１１ａの両端側の一対の布バンド部３１１ｂ、３３１１ｃおよび一対の上バンド部３１３Ａ、３１３Ｂは、ウエア本体３０１に縫い付けられない。
なお、実施形態１と同様に、一方の布バンド部３１１ｂおよび一方の上バンド部３１３Ａの表面には面ファスナーのループ状繊維面部３１４ａ、３１５ａが設けられ、他方の布バンド部３１１ｃおよび他方の上バンド部３１３Ｂの裏面には面ファスナーのフック状繊維面部３１４ｂ、３１５ｂが設けられている。
【００４５】
また、中間バンド部３１２は、実施形態１のように一対のゴムバンド部をクロスさせて形成してもよいが、実施形態３では、２方向に伸縮する薄手の生地（ストレッチ織物）をＸ形に裁断するかあるいはＸ形に縫製して、生地を重ね合わせずに形成している。あるいは、ゴムバンドをＸ形に縫製してもよい。また、実施形態３では、実施形態１の中間バンド部に設けられている保持部材を省略している。
このようにすることによって、中間バンド部３１２のクロス部分が嵩張らないため、ウエア３００の上から衣服を違和感なく着ることができると共に、クロス部分が嵩張って衣服が膨らんで見えることもない。
【００４６】
このように構成された実施形態３のウエア３００によれば、使用者の骨盤前部で下バンド部３１１の一対の布バンド部３１１ｂ、３１１ｃを重ね合わせ面ファスナーにて面接触結合させて固定し、一対の上バンド部３１３Ａ、３１３Ｂを胸郭の第５〜第１０肋骨付近に巻いて胸郭前部で重ね合わせ面ファスナーにて面接触結合させて固定することができる。すなわち、実施形態１の体幹サポーターと同様に、実施形態３における体幹サポーター３１０を着用することができ、実施形態１と同様の効果を得ることができる。
【００４７】
また、ウエア３００の上にＴシャツ、カッターシャツなどのアウターウエアを着ることにより体幹サポーター３１０が隠れるため、人目を気にすることなく体幹サポーター３１０を装着したままスポーツや日常的な活動を行うことができる。
また、体幹サポーター３１０は、ウエア本体３０１に面状ファスナーを介して着脱可能に取り付けてもよい。このようにすれば、ウエア本体３０１から体幹サポーター３１０を取り外し、汚れやすいウエア本体３０１のみを洗濯することができる。
【００４８】
（実施形態３の変形例）
図９（Ａ）および（Ｂ）で説明したウエア３００におけるウエア本体３０１は、アウターウエアであってもよい。
【００４９】
（実施形態４）
図１０は本発明の体幹サポーターを備えたウエアの実施形態４であって（Ａ）は正面図、（Ｂ）は背面図である。
実施形態４のウエア４００は、パンツタイプのウエア本体４０１の外面に体幹サポーター４１０が縫い付けられて一体化されたものである。なお、実施形態４では、ウエア４００として、ショートタイプのスポーツタイツを例示するが、ロングタイプのスポーツタイツであってもよく、あるいは、ブリーフタイプ、ボクサータイプ、トランクスタイプ、ハイウエストタイプ等のインナーウエアであってもよい。なお、ここで言う「インナーウエア」とは、インナーウエアとアウターウエアとの間に着用するウエアも含まれる。
【００５０】
体幹サポーター４１０としては、下バンド部４１１と、Ｘ形の伸縮性中間バンド部４１２と、一対の上バンド部４１３Ａ、４１３Ｂとを備え、実施形態１で説明した体幹サポーター１０と同様の構成とすることができる。
【００５１】
実施形態４では、体幹サポーター４１０の下バンド部４１１におけるゴムバンド部４１１ａが、ウエア本体４０１の腰対応部分の裏面から左右側面に亘って縫い付けられ、体幹サポーター４１０におけるゴムバンド部４１１ａ以外の部位はウエア本体４０１に縫い付けられない。
なお、実施形態１と同様に、下バンド部４１１における一方の布バンド部４１１ｂおよび一方の上バンド部４１３Ａの表面には面ファスナーのループ状繊維面部４１４ａ、４１５ａが設けられ、他方の布バンド部４１１ｃおよび他方の上バンド部４１３Ｂの裏面には面ファスナーのフック状繊維面部４１４ｂ、４１５ｂが設けられている。
【００５２】
また、中間バンド部４１２は、実施形態１のように一対のゴムバンド部をクロスさせて形成しているが、実施形態３のように、２方向に伸縮する薄手の生地（ストレッチ織物）をＸ形に裁断するかあるいはＸ形に縫製して、生地を重ね合わせずに形成してもよく、あるいは、ゴムバンドをＸ形に縫製してもよい。
【００５３】
インナーシャツを着た使用者は、ウエア本体４０１を穿いた後、腹側の一対の布バンド部４１１ｂ、４１１ｃを相互に重ね合わせて面状ファスナーで固定すると共に、背中側にある一対の上バンド部４１３Ａ、４１３Ｂをインナーシャツの上から胸部側（胸郭の第５〜第１０肋骨付近）へ巻いて相互に重ね合わせて面状ファスナーで固定することにより、体幹サポーター４１０を装着することができ、実施形態１と同様の効果を得ることができる。
【００５４】
また、実施形態４の場合も、Ｔシャツ、カッターシャツなどのアウターウエアを着ることにより体幹サポーター４１０が隠れるため、人目を気にすることなく体幹サポーター４１０を装着したままスポーツや日常的な活動を行うことができる。
また、体幹サポーター４１０は、ウエア本体４０１に面状ファスナーを介して着脱可能に取り付けてもよい。このようにすれば、ウエア本体４０１から体幹サポーター４１０を取り外し、汚れやすいウエア本体４０１のみを洗濯することができる。
【００５５】
（実施形態４の変形例）
図１０（Ａ）および（Ｂ）で説明したウエア４００におけるウエア本体４０１は、ハーフパンツタイプまたはロングパンツタイプまたはハイウエストタイプのアウターウエアであってもよい。この場合、体幹サポーターがアウターウエアのずり落ちを防止するベルトの役割にもなる。
【００５６】
（実施形態５）
図１１は本発明の体幹サポーターを備えたウエアの実施形態５であって（Ａ）は正面図、（Ｂ）は背面図である。なお、図１１（Ａ）および（Ｂ）において、図９（Ａ）および（Ｂ）中の要素と同様の要素には同一の符号を付している。
【００５７】
実施形態５のウエア５００は、胸部から腹部に亘ってファスナー部５０１ａが設けられたボディタイツタイプのウエア本体５０１の外面に体幹サポーター５１０が縫い付けられて一体化されたものである。なお、実施形態４では、ウエア５００として、半袖部およびハーフパンツ部を有するボディタイツタイプのインナーウエアを例示するが、長袖部およびロングパンツ部を有するボディタイツタイプ、あるいは、レオタードタイプのインナーウエアであってもよい。なお、ここで言う「インナーウエア」とは、インナーウエアとアウターウエアとの間に着用するウエアも含まれる。
【００５８】
（実施形態５の変形例）
図１１（Ａ）および（Ｂ）で説明したウエア５００におけるウエア本体５０１は、アウターウエアであってもよい。
【００５９】
（実施形態６）
図９（実施形態３）で説明した体幹サポーター３１０を備えたインナーウエア３００において、中間バンド部３１２のクロス部分に、実施形態２と同様に、使い捨てカイロを収納するポケットを設けてもよい。
また、図９の体幹サポーター３１０を備えたインナーウエア３００において、下バンド部３１１の腰下部に当たる部分、すなわち、中間バンド部３１２の一対の下端部の間の部分は省略してもよく、省略しても実施形態３と同様の効果が得られる。
なお、図１０（実施形態４とその変形例）および図１１（実施形態５とその変形例）についても同様である。
【００６０】
（実施形態７）
実施形態１〜５では体幹サポーターの下バンド部が伸縮性を有する場合を例示したが、下バンド部は伸縮性を有さない生地で形成されてもよい。
【００６１】
（実施形態８）
実施形態１、２、４および５では体幹サポーターの中間バンド部が保持部材を有する場合を例示したが、保持部材は省略されてもよい。この場合、一対のゴムバンド部材がばらけないように、例えば、それらの交差部分の中央部を縫い付けてもよい。
【００６２】
（実施形態９）
図１２は本発明の体幹サポーターを備えたウエアの実施形態９であって（Ａ）は正面図、（Ｂ）は背面図である。
実施形態３（図９（Ａ）と（Ｂ））および実施形態５（図１１（Ａ）と（Ｂ））では、体幹サポーターを部分的にウエア本体の外面に縫い付けた場合を例示したが、図１２（Ａ）と（Ｂ）に示す実施形態９のウエア６００のように体幹サポーター６１０がウエア本体６０１に設けられてもよい。なお、図１２（Ａ）と（Ｂ）では長袖タイプのインナーウエアを例示するが、半袖タイプのインナーウエアであってもよく、ボディタイツタイプのインナーウエアであってもよい。
【００６３】
すなわち、実施形態９のウエア６００は、ウエア本体６０１と、ウエア本体６０１に設けられた体幹サポーター部６１０とを備え、
体幹サポーター部６１０は、使用者の骨盤の周囲に巻き付けられるように配置される帯形の下バンド部６１１と、下バンド部６１１に接合された一対の一端部を有し使用者の腰部付近を押圧するＸ形の伸縮性中間バンド部６１２と、中間バンド部６１２が有する一対の他端部に接合される両端部を有し使用者の胸部に巻き付けられるように配置される上バンド部６１３とを備え、
中間バンド部６１２の前記一対の一端部は、下バンド部６１１における使用者の骨盤真横位置からその近傍前方位置の範囲に接合され、
上バンド部６１３は、使用者の胸部の第５〜第１０肋骨付近に配置されるよう構成されている。
【００６４】
実施形態９の場合、具体的には、体幹サポーター６１０全体をウエア本体６０１の外面に縫い付けてもよく（実施形態９−１）、貼り付けてもよく（実施形態９−２）あるいは編み込んでもよい（実施形態９−３）。
【００６５】
（実施形態９−１）
この場合、実施形態１で説明した体幹サポーター１０と同様の素材を用い、次の構成を有する体幹サポーター６１０を伸縮性を有するウエア本体６０１の外面に縫い付けることができる。
例えば、まず、下バンド部６１１のゴムバンド部６１１ａとゴムバンド製の中間バンド部６１２とをウエア本体６０１に縫い付けると共に、中間バンド部６１２のＸ形の下端部とゴムバンド部６１１ａの上縁部とを縫い付けて連結する。
その後、下バンド部６１１の布バンド部６１１ｂをウエア本体６０１に縫い付けると共に、布バンド部６１１ｂの両端部とゴムバンド部６１１ａの両端部とを縫い付けて連結する。
また、布製の上バンド部６１３をウエア本体６０１に縫い付けると共に、上バンド部６１３の両端部と中間バンド部６１２のＸ形の上端部とを縫い付けて連結する。
なお、縫製の順序は上記に限定されるものではない。
【００６６】
あるいは、ニット素材からなる体幹サポーター６１０をウエア本体６０１の外面に縫い付けてもよい。この場合、体幹サポーター６１０における下バンド部６１１のゴムバンド部６１１ａに相当する部分と中間バンド部６１２に相当する部分は伸縮性の高い編み方で形成し、下バンド部６１１の布バンド部６１１ｂに相当する部分と上バンド部６１３に相当する部分は伸縮性の低い編み方で形成してもよい。
【００６７】
（実施形態９−２）
この場合、例えば、体幹サポーター６１０を構成する下バンド部６１１のゴムバンド部６１１ａに相当する部分と布バンド部６１１ｂに相当する部分、中間バンド部６１２に相当する部分および上バンド部６１３に相当する部分をそれぞれ個別にウレタンシートで形成し、ウレタンシートからなる各部分を順にウエハ本体６０１の外面に熱融着して貼り付けて、ウエハ本体６０１の外面に体幹サポーター６１０を形成する。
この際、例えば、下バンド部６１１のゴムバンド部６１１ａに相当する部分と中間バンド部６１２に相当する部分は伸縮性の高いウレタンシートで形成し、下バンド部６１１の布バンド部６１１ｂに相当する部分と上バンド部６１３に相当する部分は伸縮性の低いウレタンシートで形成してもよい。
【００６８】
あるいは、体幹サポーター６１０を構成する下バンド部６１１のゴムバンド部６１１ａに相当する部分と布バンド部６１１ｂに相当する部分、中間バンド部６１２に相当する部分および上バンド部６１３に相当する部分をプリント技術（例えば、スクリーン印刷）を用いてウエハ本体６０１の外面にウレタン系樹脂、シリコン系樹脂、アクリル系樹脂またはゴム等を含む塗膜を形成し、塗膜を乾燥させることによりウエハ本体６０１の外面に体幹サポーター６１０を形成してもよい。
この際、例えば、下バンド部６１１のゴムバンド部６１１ａに相当する部分と中間バンド部６１２に相当する部分は伸縮性の高い塗膜で形成し、下バンド部６１１の布バンド部６１１ｂに相当する部分と上バンド部６１３に相当する部分は伸縮性の低い塗膜で形成してもよい。
【００６９】
（実施形態９−３）
この場合、例えば、ウエア本体６０１をニット素材にて形成する際、体幹サポーター６１０をウエア本体６０１に編み込むことにより形成する。このとき、体幹サポーター６１０における下バンド部６１１のゴムバンド部６１１ａに相当する部分と中間バンド部６１２に相当する部分はウエア本体６１０よりも伸縮性の高い編み方で形成し、下バンド部６１１の布バンド部６１１ｂに相当する部分と上バンド部６１３に相当する部分はウエア本体６１０よりも伸縮性の低い編み方で形成してもよい。
【００７０】
（まとめ）
本発明は、ヒトの胴体（体幹）に装着して脊柱を正常なＳ字カーブ状に矯正し、腰痛の緩和または予防をするための体幹サポーターである。本発明は、図１に示されるように、帯形の下バンド部１１に接合された一対の一端部を有するＸ形の中間バンド部１２を備え、中間バンド部１２の一端部の端縁および他端部の端縁は、下バンド部１１と平行な方向に延びた構造を有し、各端縁は面ファスナーを有する一対の上バンド部１３Ａ、１３Ｂに接合される。
図５および図６に示されるように、下バンド部１１は骨盤真横位置からその近傍前方位置の範囲に巻き付けられ、一対の上バンド部１３Ａ、１３Ｂは胸部Ｕ2の第５〜第１０肋骨付近に巻き付けられて、それぞれ面ファスナーにて固定することにより、中間バンド部１２が使用者Ｕの右前胸下から左前骨盤および左前胸下から右前骨盤に亘ってＸ形に配置される。これによりＸ形の中間バンド部１２のクロス部分が使用者Ｕの腰椎付近に配置され、腰部Ｕ1の脊柱起立筋群をサポートすることができるため、腰部Ｕ1の筋肉の緊張を和らげ、体の左右の歪みを矯正することができる。
また、Ｘ形の中間バンド部１２のクロス部分によって腰部Ｕ1における腰椎が前方へ押圧され、一対の上バンド部１３Ａ、１３Ｂによって胸部Ｕ2が後方へ引き寄せられることにより、脊柱が正常なＳ字カーブ状に矯正され、腰痛の緩和ないし予防をすることができる。この際、仮に一対の上バンド部１３Ａ、１３Ｂが背中側で連結していると、一対の上バンド部１３Ａ、１３Ｂによって胸部Ｕ2を後方へ引き寄せる力が低下するため、脊柱を正常なＳ字カーブ状に矯正しにくくなるが、本発明は、一対の上バンド部１３Ａ、１３Ｂは、展開状態において分離しかつ相互に反対方向に延びると共に、使用者Ｕの胸部Ｕ2の第５〜第１０肋骨付近に巻き付けられて固定されるよう構成されているため、Ｘ形の中間バンド部１２と協働して脊柱を正常なＳ字カーブ状に効果的に矯正することができる。
また、本発明は、着用時の使用者Ｕの腹部Ｕ3を圧迫することがないため、腹部圧迫に伴う呼吸障害、消化器障害、循環器障害といった人体への様々な悪影響を生じにくく、着用したまま食事しても腹部Ｕ3が苦しくならず、着座姿勢での事務作業や軽度な前屈運動も楽に行える等、日常生活において安全かつ健康的に使用することができる。
【００７１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【産業上の利用可能性】
【００７２】
本発明の体幹サポーターは、腰痛緩和、腰痛予防および姿勢矯正を期待する人に好適である。
【符号の説明】
【００７３】
１０、１００、３１０、４１０、６１０  体幹サポーター
１１、３１１、４１１、６１１  下バンド部
１２、１１２、３１２、４１２、６１２  中間バンド部
１２ａ、３１２ａ  ゴムバンド部材
１２ａ1  一端部
１２ａ2  他端部
１２ｂ、１１２ｂ  保持部材
１２ｂ1  筒部
１２ｂ11、１２ｂ21  輪部
１２ｂ2、１１２ｂ2  バンド通し部
１３Ａ、１３Ｂ、３１３Ａ、３１３Ｂ、４１３Ａ、４１３Ｂ、６１３  上バンド部
１４ａ、３１４ａ  下ループ状繊維面部
１４ｂ、３１４ｂ  下フック状繊維面部
１５ａ、３１５ａ  ループ状繊維面部
１５ｂ、３１５ｂ  上フック状繊維面部
１１２ｂ3  ポケット
３００、４００、５００、６００  ウエア
３０１、４０１、５０１、６０１  ウエア本体
Ｕ  使用者
Ｕ1  腰部
Ｕ2  胸部
【図１】
2018101344.tif 000003
【図２】
2018101344.tif 000004
【図３】
2018101344.tif 000005
【図４】
2018101344.tif 000006
【図５】
2018101344.tif 000007
【図６】
2018101344.tif 000008
【図７】
2018101344.tif 000009
【図８】
2018101344.tif 000010
【図９】
2018101344.tif 000011
【図１０】
2018101344.tif 000012
【図１１】
2018101344.tif 000013
【図１２】
2018101344.tif 000014
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
使用者の体幹をサポートするためのウエアであって、
前記ウエアが着られた状態において使用者の骨盤の周囲に対応する部分に、使用者の骨盤の周囲に巻き付けられるように、下バンド部が配置され、
前記ウエアの背面側において使用者の腰部に対応する部分に、使用者の腰部付近を押圧するように、一対の一端部および一対の他端部を有するＸ形の伸縮性中間バンド部が配置され、
前記ウエアの正面側において使用者の胸部に対応する部分に、使用者の胸部に巻き付けられるように、左右両端部を有する上バンド部が配置され、
前記下バンド部、前記中間バンド部及び前記上バンド部は、前記ウエアに一体化されており、
前記中間バンド部の前記一対の一端部が前記下バンド部に接合されると共に、前記中間バンド部の前記一対の他端部が前記上バンド部の前記左右両端に接合されており、
前記ウエアが着られた状態において、前記下バンド部が使用者の骨盤の周囲に保持された状態で、前記上バンド部が使用者の胸部を背中側へ押圧し、前記中間バンド部が使用者の腰部を腹部側へ押圧することにより、使用者の体幹をサポートすることを特徴とするウエア。
【請求項２】
前記下バンド部、前記中間バンド部及び前記上バンド部が、縫い付け、貼り付け又は編み込みにより前記ウエアに一体化されている請求項１に記載のウエア。
【請求項３】
インナーウエアの形態にある請求項１又は２に記載のウエア。
【請求項４】
使用者の体幹をサポートするためのウエアであって、
パンツタイプのウエア本体を備え、
前記ウエア本体が穿かれた状態において使用者の腰部に対応する位置から左右側面に帯形の下バンド部が縫い付けられて固定され、
前記下バンド部はその左右両端に、互いに結合離脱可能なように前記ウエア本体に縫い付けられていない一対のバンド部を有しており、
前記下バンド部には、Ｘ形の伸縮性中間バンド部の一対の一端部が接合されており、
前記中間バンド部の一対の他端部には、互いに結合離脱可能に、かつ、使用者の胸部に巻き付けられるよう一対の上バンド部が接合されており、
前記ウエア本体が穿かれた状態において、前記一対のバンド部を互いに結合し、前記一対の上バンド部を互いに結合することによって、前記下バンド部が使用者の骨盤の周囲に保持され、前記上バンド部が使用者の胸部を背中側へ押圧し、前記中間バンド部が使用者の腰部を腹部側へ押圧して、使用者の体幹をサポートすることを特徴とするウエア。
【請求項５】
前記パンツタイプのウエア本体が、ショートタイプのスポーツタイツ、ロングタイプのスポーツタイツ、ブリーフタイプ、ボクサータイプ、トランクスタイプ、ハイウエストタイプのインナーウエアの形態にある、請求項４に記載のウエア。
【請求項６】
前記パンツタイプのウエア本体が、ハーフパンツタイプ、ロングパンツタイプ又はハイウエストタイプのアウターウエアの形態にある、請求項４に記載のウエア。
【請求項７】
使用者の体幹をサポートするためのウエアであって、
ボディタイツタイプ又はレオタードタイプのウエア本体を備え、
前記ウエア本体が着られた状態において、腰部に対応する位置から左右側面に帯形の下バンド部が縫い付けられて固定され、
前記下バンド部はその左右両端に、互いに結合離脱可能なように前記ウエア本体に縫い付けられていない一対のバンド部を有しており、
前記下バンド部にＸ形の伸縮性中間バンド部の一対の一端部が接合され、かつ、前記ウエア本体における使用者の腰部の対応部分に前記中間バンド部が縫い付けられて固定されており、
前記中間バンド部の一対の他端部には、互いに結合離脱可能に、かつ、使用者の胸部に巻き付けられるよう一対の上バンド部が接合されており、
前記ウエア本体が着られた状態において、前記一対のバンド部を互いに結合し、前記一対の上バンド部を互いに結合することによって、前記下バンド部が使用者の骨盤の周囲に保持され、前記上バンド部が使用者の胸部を背中側へ押圧し、前記中間バンド部が使用者の腰部を腹部側へ押圧して、使用者の体幹をサポートすることを特徴とするウエア。
【請求項８】
インナーウエア又はアウターウエアの形態にある請求項７に記載のウエア。
【国際調査報告】
2018101344.tif 000015
2018101344.tif 000016
2018101344.tif 000017
2018101344.tif 000018